(57)【要約】【課題】周囲の騒音レベルに合わせてユーザの好みの適切な音量に調整することができると共に急激で大きい騒音に対しては直ぐに反応しないようにして音量が急激に大きくならないようにすることができるテレビジョン受像機を提供する。【解決手段】ユーザ操作により設定された音量の音声がスピーカから出力されている状態での音声レベル検出回路からの音声信号レベルと、音声がスピーカから出力されていないプリセット時の状態での騒音レベル検出回路からの初期騒音信号レベルとの差を示す調整レベル差が、調整レベル差算出回路により算出される。周囲の騒音が大きくなって、騒音レベル検出回路からの騒音信号レベルが前記初期騒音信号レベルよりも大きくなったと判定され、所定時間経過したときに、調整レベル差を保つように音声増幅回路のゲインが上げられ、スピーカからの出力音量が上げられる。【選択図】図１
2008053986.tif 000002
【特許請求の範囲】
【請求項１】
音声増幅回路からの音声信号のレベルを検出する音声レベル検出回路と、周囲の騒音を受信する騒音用マイクと、この騒音用マイクからのマイク信号を増幅するマイク増幅回路と、前記マイク増幅回路より出力されたマイク信号から前記音声増幅回路より出力された音声信号を差し引いて騒音信号を抽出する騒音抽出回路と、この騒音抽出回路からの騒音信号のレベルを検出する騒音レベル検出回路と、ユーザ操作により設定された音量の音声がスピーカから出力されている状態での前記音声レベル検出回路からの音声信号レベルと音声がスピーカから出力されていないプリセット時の状態での前記騒音レベル検出回路からの初期騒音信号レベルとの差を調整レベル差として算出する調整レベル差算出回路とを備えると共に、
電源がオンされ、前記騒音レベル検出回路により初期騒音信号レベルが検出された後、ユーザ操作に基づく音量調整がされて音量が設定されたときに、前記調整レベル差をメモリに一時的に記憶させる調整レベル差記憶制御手段と、前記設定された音量でスピーカから音声が出力されている状態での騒音信号レベルを前記騒音レベル検出回路により検出させる音声出力状態騒音レベル検出制御手段と、前記音声が出力されている状態での騒音信号レベルが前記初期騒音信号レベルよりも大きくなったかを判定する騒音レベル判定手段と、前記音声が出力されている状態での騒音信号レベルが前記初期騒音信号レベルよりも大きくなったと判定されたときに、所定時間経過後に前記調整レベル差を保つように前記音声増幅回路のゲインを調整して音量を上げる指示を行うと共に、前記音声が出力されている状態での騒音信号レベルが前記大きくなってからの騒音信号レベルよりも小さくなったと判定されたとき、あるいは前記初期騒音信号レベルよりも小さくなったと判定されたときに、前記調整レベル差を保つように前記音声増幅回路のゲインを調整して音量を下げる指示を行う音量制御指示手段とを有するシステムコントローラを備えたことを特徴とするテレビジョン受像機。
【請求項２】
電源がオンされ、騒音レベル検出回路により初期騒音信号レベルが検出された後、ユーザ操作に基づく音量調整がされて音量が設定されたときに、ユーザ操作により設定された音量の音声がスピーカから出力されている状態での音声レベル検出回路からの音声信号レベルと音声がスピーカから出力されていないプリセット時の状態での前記騒音レベル検出回路からの初期騒音信号レベルとの差である調整レベル差をメモリに一時的に記憶させる調整レベル差記憶制御手段と、前記設定された音量でスピーカから音声が出力されている状態での騒音信号レベルを前記騒音レベル検出回路により検出させる音声出力状態騒音レベル検出制御手段と、前記音声が出力されている状態での騒音信号レベルが前記初期騒音信号レベルよりも大きくなったかを判定する騒音レベル判定手段と、前記音声が出力されている状態での騒音信号レベルが前記初期騒音信号レベルよりも大きくなったと判定されたときに、所定時間経過後に前記調整レベル差を保つように前記音声増幅回路のゲインを調整して音量を上げる指示を行うと共に、前記音声が出力されている状態での騒音信号レベルが前記大きくなってからの騒音信号レベルよりも小さくなったと判定されたとき、あるいは前記初期騒音信号レベルよりも小さくなったと判定されたときに、前記調整レベル差を保つように前記音声増幅回路のゲインを調整して音量を下げる指示を行う音量制御指示手段とを有するシステムコントローラを備えたことを特徴とするテレビジョン受像機。
【請求項３】
音声増幅回路からの音声信号のレベルを検出する音声レベル検出回路と、周囲の騒音を受信する騒音用マイクと、この騒音用マイクからのマイク信号を増幅するマイク増幅回路と、前記マイク増幅回路より出力されたマイク信号から前記音声増幅回路より出力された音声信号を差し引いて騒音信号を抽出する騒音抽出回路と、この騒音抽出回路からの騒音信号のレベルを検出する騒音レベル検出回路と、ユーザ操作により設定された音量の音声がスピーカから出力されている状態での音声レベル検出回路からの音声信号レベルと音声がスピーカから出力されていないプリセット時の状態での前記騒音レベル検出回路からの初期騒音信号レベルとの差を調整レベル差として算出する調整レベル差算出回路とを備えたことを特徴とする請求項２に記載のテレビジョン受像機。
【発明の詳細な説明】
【技術分野】
【０００１】
本発明はテレビジョン受像機に関し、特に、スピーカから出力される音声の音量制御に関する。
【背景技術】
【０００２】
近年、テレビジョン受像機は、マイクロコンピュータを搭載しているため、各種機能が付加されている。その機能の中でも、スピーカから出力される音声の音量を制御する音量制御機能がある。この音量制御機能は、周囲の騒音に応じて音量を自動的に制御し、周囲の環境に合った音量でテレビ番組を楽しむことができるようにしている。
【０００３】
例えば、特許文献１の従来技術では、テレビジョン受像機などにおいて、電源挿入時の音声回路の出力音量を設定する音量コントロール手段を備えることによって、電源投入時の音声回路の出力音量を周囲の騒音レベルに合わせて適切な値に自動的に設定することができるように構成されている。
【０００４】
特許文献２の従来技術では、テレビジョン受像機は音量検出センサと音量制御回路とを有し、音量検出センサにより周囲の騒音を検出して、周囲の騒音が無い時には、初期設定された音量をスピーカから出力し、周囲の騒音が大きくなったことを検出すると、音量制御回路に基づいて音量を大きくするようにしてスピーカから音声を出力するように構成されている。
【０００５】
特許文献３の従来技術では、リモコンにマイクと音量測定部などを設け、ユーザがテレビジョン受像機の音量の調整を行った時点での音量測定結果を基準音量値としてメモリに記憶し、この記憶した基準音量値と、その後の音量測定値との差を求め、この差が予め定められた閾値になるように、リモコンの遠隔操作による音量の調整を行うように構成されている。
【特許文献１】実開昭５８−５１５号公報
【特許文献２】特開平６−６２３４６号公報
【特許文献３】特開２００３−３０４５９０号公報
【発明の開示】
【発明が解決しようとする課題】
【０００６】
しかしながら、特許文献１の従来技術では、電源投入時の音声回路の出力音量を周囲の騒音レベルに合わせて適切な値に自動的に設定することができるようにしているが、ユーザがテレビ番組を視聴している途中で周囲の話し声などにより騒音が大きくなった場合には、出力音量を周囲の騒音レベルに合わせて調整できないと言う課題が生じる。
【０００７】
また、特許文献２の従来技術では、音量検出センサにより周囲の騒音を検出して、周囲の騒音が無い時には、初期設定された音量をスピーカから出力し、周囲の騒音が大きくなったことを検出すると、音量を大きくするようにしてスピーカから音声を出力するようにしているが、例えば、外部の自動車のクラクションが鳴っても直ぐに反応して、音量が急激に大きくなるので、室内に居るユーザがびっくりして不快になる場合があると言う課題が生じる。
【０００８】
また、特許文献３の従来技術では、ユーザがテレビジョン受像機の音量の調整を行った時点での音量測定結果を基準音量値としてメモリに記憶し、この記憶した基準音量値と、その後の音量測定値との差を求め、この差が予め定められた閾値になるように、リモコンの遠隔操作による音量の調整を行うようにしているが
この従来技術も、例えば、外部の自動車のクラクションが鳴っても直ぐに反応して、音量が急激に大きくなるので、室内に居るユーザがびっくりして不快になる場合があると言う課題が生じる。
【０００９】
本発明は、上記のような課題を解決するためになされたもので、周囲の騒音レベルに合わせてユーザの好みの適切な音量に調整することができると共に、急激で大きい騒音に対しては直ぐに反応しないようにして音量が急激に大きくならないようにすることができるテレビジョン受像機を提供することを目的とする。
【課題を解決するための手段】
【００１０】
上記目的を達成するために、請求項１の発明は、音声増幅回路からの音声信号のレベルを検出する音声レベル検出回路と、周囲の騒音を受信する騒音用マイクと、この騒音用マイクからのマイク信号を増幅するマイク増幅回路と、前記マイク増幅回路より出力されたマイク信号から前記音声増幅回路より出力された音声信号を差し引いて騒音信号を抽出する騒音抽出回路と、この騒音抽出回路からの騒音信号のレベルを検出する騒音レベル検出回路と、ユーザ操作により設定された音量の音声がスピーカから出力されている状態での音声レベル検出回路からの音声信号レベルと音声がスピーカから出力されていないプリセット時の状態での前記騒音レベル検出回路からの初期騒音信号レベルとの差を調整レベル差として算出する調整レベル差算出回路とを備えると共に、電源がオンされ、前記騒音レベル検出回路により初期騒音信号レベルが検出された後、ユーザ操作に基づく音量調整がされて音量が設定されたときに、前記調整レベル差をメモリに一時的に記憶させる調整レベル差記憶制御手段と、前記設定された音量でスピーカから音声が出力されている状態での騒音信号レベルを前記騒音レベル検出回路により検出させる音声出力状態騒音レベル検出制御手段と、前記音声が出力されている状態での騒音信号レベルが前記初期騒音信号レベルよりも大きくなったかを判定する騒音レベル判定手段と、前記音声が出力されている状態での騒音信号レベルが前記初期騒音信号レベルよりも大きくなったと判定されたときに、所定時間経過後に前記調整レベル差を保つように前記音声増幅回路のゲインを調整して音量を上げる指示を行うと共に、前記音声が出力されている状態での騒音信号レベルが前記大きくなってからの騒音信号レベルよりも小さくなったと判定されたとき、あるいは前記初期騒音信号レベルよりも小さくなったと判定されたときに、前記調整レベル差を保つように前記音声増幅回路のゲインを調整して音量を下げる指示を行う音量制御指示手段とを有するシステムコントローラを備えたことを特徴とするテレビジョン受像機を提供する。
【００１１】
この構成において、先ず、テレビジョン受像機の電源がオンされると、騒音用マイクから周囲の騒音を受信して、騒音レベル検出回路により初期騒音信号レベルを検出する。この後、システムコントローラは、音声増幅回路を動作させ、スピーカから音声を出力させる。これに伴って、ユーザ操作されて、お好みの音量に調整され、音量が設定される。この設定された音量でスピーカから音声が出力され、また、音声レベル検出回路は、音声増幅回路からの音声信号のレベルを検出する。
【００１２】
次に、調整レベル差算出回路は、ユーザ操作により設定された音量の音声がスピーカから出力されている状態での音声レベル検出回路からの音声信号レベルと、音声がスピーカから出力されていないプリセット時の状態での騒音レベル検出回路からの初期騒音信号レベルとの差を調整レベル差として算出する。調整レベル差記憶制御手段は、前記調整レベル差をメモリに一時的に記憶させる。このような処理により設定された音量でスピーカから音声が出力され、音声出力状態騒音レベル検出制御手段は、前記設定された音量でスピーカから音声が出力されている状態での騒音信号レベルを騒音レベル検出回路により検出させる。
【００１３】
この後、騒音レベル判定手段は、騒音レベル検出回路により検出された騒音信号レベルが前記初期騒音信号レベルよりも大きくなったかを判定する。前記音声が出力されている状態での騒音信号レベルが初期騒音信号レベルよりも大きくなったと判定されたときに、音量制御指示手段は、所定時間経過したとき、前記調整レベル差を保つように音声増幅回路のゲインを調整して音量を上げる指示を行う。
【００１４】
一方、スピーカから音声が出力されている状態での騒音信号レベルが、前記大きくなってからの騒音信号レベルよりも小さくなったと判定されたとき、あるいは前記初期騒音信号レベルよりも小さくなったと判定されたときに、音量制御指示手段は、前記調整レベル差を保つように音声増幅回路のゲインを調整して音量を下げる指示を行う。これにより、スピーカから出力される音声の音量が小さくなり、周囲の静かさに応じたユーザの好みの音量の音声が、スピーカから出力されることになる。
【００１５】
この構成によれば、周囲の騒音レベルに合わせてユーザの好みの適切な音量に調整することができるので、テレビ番組を視聴している最中に、周囲の騒音が大きくなっても、自動的に音量が上がるので、ユーザにとっては聴覚の感度が一定に保たれ、これにより、ユーザは、音量を上げるためのリモコン操作などを行う必要が無くなり便利になる。また、急激で大きい騒音に対しては直ぐに反応しないようにして音量が急激に大きくならないようにしているので、例えば、外部の自動車のクラクションが鳴っても、音量が急激に大きくならず、室内に居るユーザがびっくりして不快になるようなことがない。
【００１６】
請求項２の発明は、電源がオンされ、騒音レベル検出回路により初期騒音信号レベルが検出された後、ユーザ操作に基づく音量調整がされて音量が設定されたときに、ユーザ操作により設定された音量の音声がスピーカから出力されている状態での音声レベル検出回路からの音声信号レベルと音声がスピーカから出力されていないプリセット時の状態での前記騒音レベル検出回路からの初期騒音信号レベルとの差である調整レベル差をメモリに一時的に記憶させる調整レベル差記憶制御手段と、前記設定された音量でスピーカから音声が出力されている状態での騒音信号レベルを前記騒音レベル検出回路により検出させる音声出力状態騒音レベル検出制御手段と、前記音声が出力されている状態での騒音信号レベルが前記初期騒音信号レベルよりも大きくなったかを判定する騒音レベル判定手段と、前記音声が出力されている状態での騒音信号レベルが前記初期騒音信号レベルよりも大きくなったと判定されたときに、所定時間経過後に前記調整レベル差を保つように前記音声増幅回路のゲインを調整して音量を上げる指示を行うと共に、前記音声が出力されている状態での騒音信号レベルが前記大きくなってからの騒音信号レベルよりも小さくなったと判定されたとき、あるいは前記初期騒音信号レベルよりも小さくなったと判定されたときに、前記調整レベル差を保つように前記音声増幅回路のゲインを調整して音量を下げる指示を行う音量制御指示手段とを有するシステムコントローラを備えたことを特徴とするテレビジョン受像機を提供する。
【００１７】
この構成において、先ず、テレビジョン受像機の電源がオンされると、騒音用マイクから周囲の騒音を受信して、騒音レベル検出回路により初期騒音信号レベルを検出する。この後、システムコントローラは、音声増幅回路を動作させ、スピーカから音声を出力させる。これに伴って、ユーザ操作されて、お好みの音量に調整され、音量が設定される。この設定された音量でスピーカから音声が出力され、また、音声レベル検出回路は、音声増幅回路からの音声信号のレベルを検出する。
【００１８】
次に、調整レベル差記憶制御手段は、前記調整レベル差をメモリに一時的に記憶させる。このような処理により設定された音量でスピーカから音声が出力され、音声出力状態騒音レベル検出制御手段は、前記設定された音量でスピーカから音声が出力されている状態での騒音信号レベルを騒音レベル検出回路により検出させる。この後、騒音レベル判定手段は、騒音レベル検出回路により検出された騒音信号レベルが前記初期騒音信号レベルよりも大きくなったかを判定する。前記音声が出力されている状態での騒音信号レベルが初期騒音信号レベルよりも大きくなったと判定されたときに、音量制御指示手段は、所定時間経過したとき、前記調整レベル差を保つように音声増幅回路のゲインを調整して音量を上げる指示を行う。
【００１９】
一方、スピーカから音声が出力されている状態での騒音信号レベルが、前記大きくなってからの騒音信号レベルよりも小さくなったと判定されたとき、あるいは前記初期騒音信号レベルよりも小さくなったと判定されたときに、音量制御指示手段は、前記調整レベル差を保つように音声増幅回路のゲインを調整して音量を下げる指示を行う。これにより、スピーカから出力される音声の音量が小さくなり、周囲の静かさに応じたユーザの好みの音量の音声が、スピーカから出力されることになる。
【００２０】
この構成によれば、周囲の騒音レベルに合わせてユーザの好みの適切な音量に調整することができるので、テレビ番組を視聴している最中に、周囲の騒音が大きくなっても、自動的に音量が上がるので、ユーザにとっては聴覚の感度が一定に保たれ、これにより、ユーザは、音量を上げるためのリモコン操作などを行う必要が無くなり便利になる。また、急激で大きい騒音に対しては直ぐに反応しないようにして音量が急激に大きくならないようにしているので、例えば、外部の自動車のクラクションが鳴っても、音量が急激に大きくならず、室内に居るユーザがびっくりして不快になるようなことがない。
【００２１】
請求項３の発明では、請求項２の発明において、音声増幅回路からの音声信号のレベルを検出する音声レベル検出回路と、周囲の騒音を受信する騒音用マイクと、この騒音用マイクからのマイク信号を増幅するマイク増幅回路と、前記マイク増幅回路より出力されたマイク信号から前記音声増幅回路より出力された音声信号を差し引いて騒音信号を抽出する騒音抽出回路と、この騒音抽出回路からの騒音信号のレベルを検出する騒音レベル検出回路と、ユーザ操作により設定された音量の音声がスピーカから出力されている状態での音声レベル検出回路からの音声信号レベルと音声がスピーカから出力されていないプリセット時の状態での前記騒音レベル検出回路からの初期騒音信号レベルとの差を調整レベル差として算出する調整レベル差算出回路とを備えて構成している。
【００２２】
この構成により、音声増幅回路からの音声信号のレベルの検出、周囲の騒音の受信、マイク信号の増幅、騒音信号の抽出、騒音信号のレベルの検出、および調整レベル差の算出が可能になる。
【発明の効果】
【００２３】
以上のように本発明によれば、周囲の騒音レベルに合わせてユーザの好みの適切な音量に調整することができるので、テレビ番組を視聴している最中に、周囲の騒音が大きくなっても、自動的に音量が上がるので、ユーザにとっては聴覚の感度が一定に保たれ、これにより、ユーザは、音量を上げるためのリモコン操作などを行う必要が無くなり便利になる。また、急激で大きい騒音に対しては直ぐに反応しないようにして音量が急激に大きくならないようにしているので、例えば、外部の自動車のクラクションが鳴っても、音量が急激に大きくならず、室内に居るユーザがびっくりして不快になるようなことがない。
【発明を実施するための最良の形態】
【００２４】
以下、添付図面を参照しつつ、本発明の実施の形態について説明する。図１は本発明の一実施形態に係るテレビジョン受像機における音量制御に関係する構成要素を示すブロック図である。
【００２５】
このテレビジョン受像機は、音量を調整するためのボリューム回路１と、図示しない音声検波回路からの音声信号を増幅する音声増幅回路２と、この音声増幅回路２からの音声信号を電力増幅してスピーカ４に供給する音声出力回路３と、音声増幅回路２からの音声信号を入力して音声信号のレベルを検出する音声レベル検出回路５と、この音声レベル検出回路５からの音声レベル信号をデジタルの音声レベル信号に変換するＡ／Ｄ変換回路６とを備えている。
【００２６】
また、このテレビジョン受像機は、この受像機の周囲の騒音を受信するための騒音用マイク７と、この騒音用マイク７からのマイク信号を増幅するマイク増幅回路８と、音声増幅回路２からの音声信号をマイク増幅回路８からの音声信号と位相を合わすため音声増幅回路２からの音声信号を所定時間遅延させて出力する遅延回路９と、マイク増幅回路８からのマイク信号より遅延回路９からの音声信号を差し引いて騒音信号を抽出する騒音抽出回路１０と、この騒音抽出回路１０からの騒音信号を入力して騒音信号のレベルを検出する騒音レベル検出回路１１と、この騒音レベル検出回路１１からの騒音信号をデジタルの騒音信号に変換するＡ／Ｄ変換回路１２と、ユーザ操作により設定された音量の音声がスピーカ４から出力されている状態での音声レベル検出回路５からの音声信号レベル（Ａ／Ｄ変換回路６からのデジタルの音声信号レベル）と、音声がスピーカ４から出力されていないプリセット時の状態での騒音レベル検出回路１１からの初期騒音信号レベル（Ａ／Ｄ変換回路１２からのデジタルの初期騒音信号レベル）との差を調整レベル差として算出する調整レベル差算出回路１３とを備えている。
【００２７】
また、このテレビジョン受像機は、処理に必要なデータを記憶するメモリ１４と、時間を計時するタイマ１５と、電源キーや音量調整キーやチャンネルキーなど複数の操作キーを有するリモコン１６と、テレビジョン受像機全体を制御するマイクロコンピュータで実現されるシステムコントローラ１７とを備えている。なお、音量を調整するボリュームは、リモコン１６においては音量調整キーに相当し、また図示しない本体操作部においても音量調整キーに相当し、この実施形態では、リモコン１６の音量調整キーを操作して音量を調整するとして説明する。そして、リモコン１６の音量調整キーをボリューム１６ａと呼ぶことにする。
【００２８】
システムコントローラ１７は、本実施形態の特徴とする構成要素として、電源がオンされ、騒音レベル検出回路１１により初期騒音信号レベルが検出された後、ユーザ操作に基づく音量調整がされて音量が設定されたときに、前記調整レベル差をメモリ１４に一時的に記憶させる調整レベル差記憶制御手段と、前記設定された音量でスピーカ４から音声が出力されている状態での騒音信号レベルを前記騒音レベル検出回路１１により検出させる音声出力状態騒音レベル検出制御手段と、前記音声が出力されている状態での騒音信号レベルが前記初期騒音信号レベルよりも大きくなったかを判定する騒音レベル判定手段と、前記音声が出力されている状態での騒音信号レベルが前記初期騒音信号レベルよりも大きくなったと判定されたときに、所定時間経過後に前記調整レベル差を保つように音声増幅回路２のゲインを調整して音量を上げる指示を行うと共に、前記音声が出力されている状態での騒音信号レベルが前記大きくなってからの騒音信号レベルよりも小さくなったと判定されたとき、あるいは前記初期騒音信号レベルよりも小さくなったと判定されたときに、前記調整レベル差を保つように音声増幅回路２のゲインを調整して音量を下げる指示を行う音量制御指示手段とを有する。
【００２９】
図２は本実施形態において音量制御の動作を説明するためのフローチャートである。このフローチャートおよび図１を参照して音量制御の動作について説明する。
【００３０】
先ず、テレビジョン受像機の電源がオンされると（ステップＳ１）、騒音用マイク７から周囲の騒音を受信して、騒音レベル検出回路１１により初期騒音信号レベルを検出する（ステップＳ２）。即ち、スピーカ４から音声が発生していないプリセット状態において、騒音用マイク７がテレビジョン受像機の周囲の騒音を受信して、騒音マイク７からの騒音信号がマイク増幅回路８で増幅され、騒音抽出回路１０に入力される。このときの騒音抽出回路１０には、マイク増幅回路８からの騒音信号だけしか入力されていないので、そのまま騒音信号が騒音抽出回路１０から出力される。その騒音信号は、騒音レベル検出回路１１に入力され、レベルが検出され、このレベル信号は、更に、Ａ／Ｄ変換回路１２でデジタルの雑音信号レベルに変換され、このデジタルの雑音信号レベルが一時的にメモリ１４に記憶される。
【００３１】
この後、システムコントローラ１７は音声増幅回路２を動作させ、これにより、音声増幅回路２からの音声信号は、音声出力回路３で電力増幅されてスピーカ４に供給され、スピーカ４からは音声が出力される。これに伴って、ユーザによりリモコン１６のボリューム１６ａが操作されてお好みの音量に調整される（ステップＳ３）。そして、ユーザがボリューム１６ａを触らなくなってから、所定時間（例えば２秒）経過すると、システムコントローラ１７は、その調整された音量を設定する（ステップＳ４）。この設定された音量でスピーカ４から音声が出力され、また、音声レベル検出回路５は、音声増幅回路２からの音声信号のレベルを検出し、更に、Ａ／Ｄ変換回路６は、その音声信号のレベルをデジタルの音声信号レベルに変換する。
【００３２】
次に、調整レベル差算出回路１３は、ユーザ操作により設定された音量の音声がスピーカ４から出力されている状態での音声信号レベル（Ａ／Ｄ変換回路６からのデジタルの音声信号レベル）と、音声がスピーカ４から出力されていないプリセット時の状態での騒音レベル検出回路１１からの初期騒音信号レベル（Ａ／Ｄ変換回路１２からのデジタルの初期騒音信号レベル）との差を調整レベル差として算出し、更に、システムコントローラ１７の調整レベル差記憶制御手段は、前記調整レベル差をメモリ１４に一時的に記憶させる（ステップＳ５）。この調整レベル差は、ユーザが再度ボリューム１６ａを操作して音量を調整した場合には更新される。
【００３３】
ところで、調整レベル差算出回路１３は、例えば、スピーカ４から出力される音声信号レベル（音声レベル検出回路５から出力される音声信号レベルに相当）をＸ〔ｄＢ〕とし、騒音マイク７が受信する初期騒音信号レベル（プリセット時の騒音レベル検出回路１１から出力される初期騒音信号レベルに相当）をＹ〔ｄＢ〕とし、音声信号レベルと初期騒音信号レベルとの差が４０〔ｄＢ〕になった場合、式  Ｘ−Ｙ＝４０〔ｄＢ〕を調整レベル差として算出する。なお、前記プリセット時の騒音レベル検出回路１１から出力される初期騒音信号レベルは、デジタルの初期騒音信号レベルとしてプリセット時に前もってメモリ１４に記憶されているので、音声レベル検出回路５から出力される音声信号レベルをＡ／Ｄ変換回路６でデジタル変換したデジタルの音声信号レベルとメモリ１４のデジタルの初期騒音信号レベルとにより、前記調整レベル差の算出が可能になる。
【００３４】
このような処理により設定された音量でスピーカ４から音声が出力される。この状態での騒音信号レベルが検出される。即ち、システムコントローラ１７の音声出力状態騒音レベル検出制御手段は、前記設定された音量でスピーカ４から音声が出力されている状態での騒音信号レベルを騒音レベル検出回路１１により検出させる（ステップＳ６）。次に、システムコントローラ１７の騒音レベル判定手段は、騒音レベル検出回路１１により検出された騒音信号レベルをＡ／Ｄ変換回路１２でデジタル変換したデジタルの騒音信号レベルが前記デジタルの初期騒音信号レベルよりも大きくなったかを判定する（ステップＳ７）。
【００３５】
前記音声が出力されている状態でのデジタルの騒音信号レベルがデジタルの初期騒音信号レベルよりも大きくなったと判定されたときに、システムコントローラ１７の音量制御指示手段は、タイマ１５を計時動作させ、この計時した時間が所定時間経過（例えば３秒経過）したとき（ステップＳ８）、前記調整レベル差を保つようにボリューム回路１を制御して音声増幅回路２のゲインを上げてスピーカ４から出力される音声の音量を上げる指示を行う（ステップＳ９）。例えば、周囲の話し声などにより、騒音が高まり、騒音信号レベルＹの平均値（例えば２秒間での平均値）が１０〔ｄＢ〕上がった場合、初めに設定した調整レベル差４０〔ｄＢ〕を保つように、音声信号レベルＸを１０〔ｄＢ〕上げる。これにより、スピーカ４から出力される音声の音量が大きくなる。
【００３６】
したがって、ユーザがテレビ番組を視聴している最中に、周囲の騒音が大きくなっても、自動的に音量が上がるので、ユーザにとっては聴覚の感度が一定に保たれ、これにより、ユーザは、音量を上げるためのリモコン操作などを行う必要が無くなり便利になる。また、所定時間経過後（例えば３秒経過後）してから音量を上げるようにしているのは、例えば、外部の自動車のクラクションが鳴って直ぐに反応すると、音量が急激に大きくなって、室内に居るユーザがびっくりして不快になるのを防ぐためである。
【００３７】
一方、スピーカ４から音声が出力されている状態でのデジタルの騒音信号レベルが、前記大きくなってからのデジタルの騒音信号レベルよりも小さくなったと判定されたとき、あるいはデジタルの初期騒音信号レベルよりも小さくなったと判定されたときに（ステップＳ７）、システムコントローラ１７の音量制御指示手段は、前記調整レベル差を保つようにボリューム回路１を制御して音声増幅回路２のゲインを下げてスピーカ４から出力される音声の音量を下げる指示を行う（ステップＳ１０）。例えば、周囲の話し声などによる騒音が静まり、騒音信号レベルＹが１０〔ｄＢ〕下がった場合、初めに設定した調整レベル差４０〔ｄＢ〕を保つように、音声信号レベルＸを１０〔ｄＢ〕下げる。これにより、スピーカ４から出力される音声の音量が小さくなり、元の音量になる。
【００３８】
また、プリセット時において騒音用マイク７により受信した騒音よりも、更に騒音が小さくなり、その騒音信号レベルが初期騒音信号レベルよりも小さくなった場合にも、システムコントローラ１７の音量制御手段は、初めに設定した調整レベル差４０〔ｄＢ〕を保つように、音声信号レベルＸを更に下げる。例えば、周囲の話し声などによる騒音が静まり、周囲の騒音が更に小さくなり、騒音信号レベルＹが１５〔ｄＢ〕下がった場合、初めに設定した調整レベル差４０〔ｄＢ〕を保つように、音声信号レベルＸを１５〔ｄＢ〕下げる。これにより、スピーカ４から出力される音声の音量が更に小さくなり、周囲の静かさに応じたユーザ好みの音量の音声が、スピーカ４から出力されることになる。
【００３９】
以上説明したように本実施形態によれば、周囲の騒音レベルに合わせてユーザの好みの適切な音量に調整することができるので、テレビ番組を視聴している最中に、周囲の騒音が大きくなっても、自動的に音量が上がるので、ユーザにとっては聴覚の感度が一定に保たれ、これにより、ユーザは、音量を上げるためのリモコン操作などを行う必要が無くなり便利になる。また、急激で大きい騒音に対しては直ぐに反応しないようにして音量が急激に大きくならないようにしているので、例えば、外部の自動車のクラクションが鳴っても、音量が急激に大きくならず、室内に居るユーザがびっくりして不快になるようなことがない。
【産業上の利用可能性】
【００４０】
本発明はテレビジョン受像機におけるスピーカから出力される音声の音量制御に利用可能である。
【図面の簡単な説明】
【００４１】
【図１】本発明の一実施形態に係るテレビジョン受像機における音量制御に関係する構成要素を示すブロック図である。
【図２】前記実施形態において音量制御の動作を説明するためのフローチャートである。
【符号の説明】
【００４２】
２    音声増幅回路
４    スピーカ
５    音声レベル検出回路
７    騒音用マイク
８    マイク増幅回路
１０    騒音抽出回路
１１    騒音レベル検出回路
１３    調整レベル差算出回路
１４    メモリ
１７    システムコントローラ
【図１】
2008053986.tif 000003
【図２】
2008053986.tif 000004